(57)【要約】【課題】夜景モードに於いて急なアクシデント等によってカメラが大きく傾いた場合等の撮影中の急な変化が生じた場合にも、適切な処理を施すことができるカメラを提供することである。【解決手段】このカメラは、測光回路２２内の多分割測光センサによって被写界を複数に分割して被写体輝度が測定される。そして、露光動作中の、上記多分割測光センサに相当する複数のフォトダイオードＰＤ1 ，ＰＤ2 ，…の出力の変化が検出されて、その出力変化が大きい場合には、Ｂμｃｏｍ２０によって露光時間内に於いても露光動作が停止される。【選択図】      図４
2006106199.tif 000002
【特許請求の範囲】
【請求項１】
被写界を複数に分割して被写体輝度を測定する多分割測光センサと、
上記多分割測光センサ出力の変化を検出する検出手段と、
露光動作中の上記多分割測光センサの出力変化が大きい場合に、露光時間内に於いても露光動作を停止させる制御手段と、
を具備することを特徴とするカメラ。
【請求項２】
上記制御手段は、適正露光時間と露光開始から測光データが変化するまでの時間との割合を演算して露光停止するか否かの判定を行うことを特徴とする請求項１に記載のカメラ。
【請求項３】
上記制御手段は、上記多分割測光センサの全画素に対して、所定の画素より少ない数の画素の測光データが変化している場合は、上記露光動作を続ける制御を行うことを特徴とする請求項１に記載のカメラ。
【請求項４】
上記制御手段は、上記多分割測光センサ出力に於いて、画面内の選択された焦点検出ポイント近傍の画素の測光データが変化していない場合は、上記露光動作を続ける制御を行うことを特徴とする請求項１に記載のカメラ。
【請求項５】
上記制御手段は、シャッタ秒時が所定時間より長い場合にのみ上記露光動作を停止させることを特徴とする請求項１に記載のカメラ。
【請求項６】
被写体輝度を測定する測光手段と、
上記測光手段の出力変化を検出する検出手段と、
露光動作中に、上記検出手段の出力変化が所定レベル以上であることが検出された場合に、上記露光動作を停止させる露光制御手段と、
を具備したことを特徴とするカメラ。
【請求項７】
上記露光制御手段は、適正露光時間と露光開始から測光データが変化するまでの時間との割合を演算して露光停止するか否かの判定を行うことを特徴とする請求項６に記載のカメラ。
【請求項８】
上記露光制御手段は、上記多分割測光センサの全画素に対して、所定の画素より少ない数の画素の測光データが変化している場合は、上記露光動作を続ける制御を行うことを特徴とする請求項６に記載のカメラ。
【請求項９】
上記露光制御手段は、上記多分割測光センサ出力に於いて、画面内の選択された焦点検出ポイント近傍の画素の測光データが変化していない場合は、上記露光動作を続ける制御を行うことを特徴とする請求項６に記載のカメラ。
【請求項１０】
上記露光制御手段は、シャッタ秒時が所定時間より長い場合にのみ上記露光動作を停止させる制御を行うことを特徴とする請求項６に記載のカメラ。
【請求項１１】
被写界を複数に分割して被写体輝度を測定する多分割測光センサと、
上記多分割測光センサの複数の出力のうち、所定数以上のセンサの出力が所定レベル以上になったことを検出する検出手段と、
上記検出手段の検出結果に応じて、露光動作を停止させる露光制御手段と、
を具備したことを特徴とするカメラ。
【請求項１２】
上記露光制御手段は、適正露光時間と露光開始から測光データが変化するまでの時間との割合を演算して露光停止するか否かの判定を行うことを特徴とする請求項１１に記載のカメラ。
【請求項１３】
上記露光制御手段は、上記多分割測光センサの全画素に対して、所定の画素より少ない数の画素の測光データが変化している場合は、上記露光動作を続ける制御を行うことを特徴とする請求項１１に記載のカメラ。
【請求項１４】
上記露光制御手段は、上記多分割測光センサの複数の出力に於いて、画面内の選択された焦点検出ポイント近傍の画素の測光データが変化していない場合は、上記露光動作を続ける制御を行うことを特徴とする請求項１１に記載のカメラ。
【請求項１５】
上記露光制御手段は、シャッタ秒時が所定時間より長い場合にのみ上記露光動作を停止させる制御を行うことを特徴とする請求項１１に記載のカメラ。
【請求項１６】
被写界を複数に分割して被写体の輝度を測定する多分割測光センサと、
上記多分割測光センサ出力の変化を検出する検出手段と、
上記被写体の像を撮像する撮像素子と、
露光動作中の上記多分割測光センサの出力変化が大きい場合に、露光時間内に於いても露光動作を停止させる制御手段と、
を具備することを特徴とするカメラ。
【請求項１７】
適正露光時間と、露光開始から測光データが変化するまでの時間との割合を演算する演算手段と、この演算手段で演算された結果に基づいて露光停止するか否かの判定を行う判定手段と、
を更に具備することを特徴とする請求項１６に記載のカメラ。
【請求項１８】
上記制御手段は、上記多分割測光センサの全画素に対して、所定の画素より少ない数の画素の測光データが変化している場合は、上記露光動作を続ける制御を行うことを特徴とする請求項１６に記載のカメラ。
【請求項１９】
上記制御手段は、上記多分割測光センサ出力に於いて、画面内の選択された焦点検出ポイント近傍の画素の測光データが変化していない場合は、露光動作を続ける制御を行うことを特徴とする請求項１６に記載のカメラ。
【請求項２０】
上記制御手段は、シャッタ秒時が所定時間より長い場合にのみ上記露光動作を停止させることを特徴とする請求項１６に記載のカメラ。
【発明の詳細な説明】
【技術分野】
【０００１】
本発明はカメラに関し、より詳細には、デジタルカメラのブレ画像を軽減するカメラに関するものである。
【背景技術】
【０００２】
従来より、カメラを用いて夜景等の暗い状況下での撮影が行われている。こうした場合、露光量を補うためにシャッタ秒時が長くなるので、手ブレが生じやすくなる。そのため、例えば、三脚アナログにスイッチを設ける等してカメラが固定されていることを検知し、自動的に夜景モードに切り替える技術が知られている（例えば、特許文献１参照）。
【０００３】
また、手ぶれ補正カメラに於いて、焦点距離で決定されるシャッタ時間リミットを簡素化する技術（例えば、特許文献な２参照）や、ズームレンズに於いて焦点距離の逆数で決定されるシャッタ速度に対し１段以上低速で露光撮影して、その低速秒時のリミットを最長焦点を基準とした時間で、全ての焦点で打ち切る技術（例えば、特許文献３２参照）が知られている。
【０００４】
更には、手ブレ限界値でシャッタ秒時が限界を超えて暗い場合は絞りを開ける技術が知られている（例えば、特許文献４参照）。
【特許文献１】特開平５−５３１６８号公報
【特許文献２】特開平７−２８１２３７号公報
【特許文献３】特開平７−２８１２４０号公報
【特許文献４】特開２００３−２４１２４８号公報
【発明の開示】
【発明が解決しようとする課題】
【０００５】
しかしながら、上述した特許文献１乃至４に記載の技術では、夜景モードに於いて急なアクシデント等によってカメラが大きく傾いた場合等、撮影中の急な変化に対応することはできないものであった。
【０００６】
本発明は、上記実情に鑑みてなされたものであり、夜景モードに於いて急なアクシデント等によってカメラが大きく傾いた場合等の撮影中の急な変化が生じた場合にも、適切な処理を施すことができるカメラを提供することを目的とする。
【課題を解決するための手段】
【０００７】
すなわち、請求項１に記載の発明は、被写界を複数に分割して被写体輝度を測定する多分割測光センサと、上記多分割測光センサ出力の変化を検出する検出手段と、露光動作中の上記多分割測光センサの出力変化が大きい場合に、露光時間内に於いても露光動作を停止させる制御手段と、を具備することを特徴とする。
【０００８】
請求項２に記載の発明は、請求項１に記載の発明に於いて、上記制御手段は、適正露光時間と露光開始から測光データが変化するまでの時間との割合を演算して露光停止するか否かの判定を行うことを特徴とする。
【０００９】
請求項３に記載の発明は、請求項１に記載の発明に於いて、上記制御手段は、上記多分割測光センサの全画素に対して、所定の画素より少ない数の画素の測光データが変化している場合は、上記露光動作を続ける制御を行うことを特徴とする。
【００１０】
請求項４に記載の発明は、請求項１に記載の発明に於いて、上記制御手段は、上記多分割測光センサ出力に於いて、画面内の選択された焦点検出ポイント近傍の画素の測光データが変化していない場合は、上記露光動作を続ける制御を行うことを特徴とする。
【００１１】
請求項５に記載の発明は、請求項１に記載の発明に於いて、上記制御手段は、シャッタ秒時が所定時間より長い場合にのみ上記露光動作を停止させることを特徴とする。
【００１２】
請求項６に記載の発明は、被写体輝度を測定する測光手段と、上記測光手段の出力変化を検出する検出手段と、露光動作中に、上記検出手段の出力変化が所定レベル以上であることが検出された場合に、上記露光動作を停止させる露光制御手段と、を具備したことを特徴とする。
【００１３】
請求項７に記載の発明は、請求項６に記載の発明に於いて、上記露光制御手段は、適正露光時間と露光開始から測光データが変化するまでの時間との割合を演算して露光停止するか否かの判定を行うことを特徴とする。
【００１４】
請求項８に記載の発明は、請求項６に記載の発明に於いて、上記露光制御手段は、上記多分割測光センサの全画素に対して、所定の画素より少ない数の画素の測光データが変化している場合は、上記露光動作を続ける制御を行うことを特徴とする。
【００１５】
請求項９に記載の発明は、請求項６に記載の発明に於いて、上記露光制御手段は、上記多分割測光センサ出力に於いて、画面内の選択された焦点検出ポイント近傍の画素の測光データが変化していない場合は、上記露光動作を続ける制御を行うことを特徴とする。
【００１６】
請求項１０に記載の発明は、請求項６に記載の発明に於いて、上記露光制御手段は、シャッタ秒時が所定時間より長い場合にのみ上記露光動作を停止させる制御を行うことを特徴とする。
【００１７】
請求項１１に記載の発明は、被写界を複数に分割して被写体輝度を測定する多分割測光センサと、上記多分割測光センサの複数の出力のうち、所定数以上のセンサの出力が所定レベル以上になったことを検出する検出手段と、上記検出手段の検出結果に応じて、露光動作を停止させる露光制御手段と、を具備したことを特徴とする。
【００１８】
請求項１２に記載の発明は、請求項１１に記載の発明に於いて、上記露光制御手段は、適正露光時間と露光開始から測光データが変化するまでの時間との割合を演算して露光停止するか否かの判定を行うことを特徴とする。
【００１９】
請求項１３に記載の発明は、請求項１１に記載の発明に於いて、上記露光制御手段は、上記多分割測光センサの全画素に対して、所定の画素より少ない数の画素の測光データが変化している場合は、上記露光動作を続ける制御を行うことを特徴とする。
【００２０】
請求項１４に記載の発明は、請求項１１に記載の発明に於いて、上記露光制御手段は、上記多分割測光センサの複数の出力に於いて、画面内の選択された焦点検出ポイント近傍の画素の測光データが変化していない場合は、上記露光動作を続ける制御を行うことを特徴とする。
【００２１】
請求項１５に記載の発明は、請求項１１に記載の発明に於いて、上記露光制御手段は、シャッタ秒時が所定時間より長い場合にのみ上記露光動作を停止させる制御を行うことを特徴とする。
【００２２】
請求項１６に記載の発明は、被写界を複数に分割して被写体の輝度を測定する多分割測光センサと、上記多分割測光センサ出力の変化を検出する検出手段と、上記被写体の像を撮像する撮像素子と、露光動作中の上記多分割測光センサの出力変化が大きい場合に、露光時間内に於いても露光動作を停止させる制御手段と、を具備することを特徴とする。
【００２３】
請求項１７に記載の発明は、請求項１６に記載の発明に於いて、適正露光時間と、露光開始から測光データが変化するまでの時間との割合を演算する演算手段と、この演算手段で演算された結果に基づいて露光停止するか否かの判定を行う判定手段と、を更に具備することを特徴とする。
【００２４】
請求項１８に記載の発明は、請求項１６に記載の発明に於いて、上記制御手段は、上記多分割測光センサの全画素に対して、所定の画素より少ない数の画素の測光データが変化している場合は、上記露光動作を続ける制御を行うことを特徴とする。
【００２５】
請求項１９に記載の発明は、請求項１６に記載の発明に於いて、上記制御手段は、上記多分割測光センサ出力に於いて、画面内の選択された焦点検出ポイント近傍の画素の測光データが変化していない場合は、露光動作を続ける制御を行うことを特徴とする。
【００２６】
請求項２０に記載の発明は、請求項１６に記載の発明に於いて、上記制御手段は、シャッタ秒時が所定時間より長い場合にのみ上記露光動作を停止させることを特徴とする。
【発明の効果】
【００２７】
本発明によれば、夜景モードに於いて急なアクシデント等によってカメラが大きく傾いた場合等の撮影中の急な変化が生じた場合にも、適切な処理を施すことができるカメラを提供することができる。
【発明を実施するための最良の形態】
【００２８】
以下、図面を参照して、本発明の実施形態を説明する。
【００２９】
図１は、本発明に係る一実施形態のデジタルカメラの構成を示す機能ブロック図である。このデジタルカメラは、レンズシャッタを構成している。
【００３０】
図１に於いて、カメラのボディユニット１０の外部からの入射光束は、焦点レンズ１１ａ及びズームレンズ１１ｂから成る撮影レンズと、シャッタ１２を介して撮像素子（ＣＣＤ）１３に導かれる。これら焦点レンズ１１ａ、ズームレンズ１１ｂ、シャッタ１２は、それぞれ焦点レンズ駆動機構１５、ズームレンズ駆動機構１７、シャッタ駆動制御回路１６を介して、ボディ制御用マイクロコンピュータ（以下、Ｂμｃｏｍと略記する）２０によって、その動きが制御される。
【００３１】
上記焦点レンズ１１ａ及びズームレンズ１１ｂは、焦点レンズ駆動機構１５及びズームレンズ駆動機構１７内に存在する図示されないＤＣモータによって、光軸方向に駆動される。シャッタ駆動制御回路１６は、レンズシャッタ１２を構成するセクタを回転させて光量を制御するための回路である。
【００３２】
また、Ｂμｃｏｍ２０には、測距回路２１及び測光回路２２と、上記ＣＣＤ１３に接続された撮像素子インターフェイス回路２５と、画像処理を行うための画像処理コントローラ２６とが接続されている。この画像処理コントローラ２６には、記憶領域として設けられたＳＤＲＡＭ２７と、液晶モニタ２８及び通信コネクタ３１を介して記録メディア３２とが接続されている。これらは、電子撮像機能と共に電子記録表示機能を提供できるように構成されている。
【００３３】
上記記録メディア３２は、各種のメモリカードや外付けのハードディスクドライブ（ＨＤＤ）等の外部記録媒体であり、通信コネクタ３１を介してカメラのボディユニット１０と通信可能、且つ交換可能に装着される。
【００３４】
上記Ｂμｃｏｍ２０には、また、測距回路２１と、測光回路２２と、不揮発性メモリ（ＥＥＰＲＯＭ）３５と、当該カメラの動作状態を表示出力によって撮影者へ告知するための動作表示用ＬＣＤ３６と、カメラ操作スイッチ（ＳＷ）３７と、電源回路３８を介して電池３９とが接続されている。
【００３５】
上記測距回路２１は、本カメラから図示されない被写体までの距離を測定するもので、周知の回路により構成される。上記測光回路２２は、外光式多分割自動露光（ＡＥ）センサにより構成される。このカメラの場合、撮影レンズではなく、別の光学系により被写界の光を測光するようになっている。
【００３６】
不揮発性メモリ３５は、その他の記憶領域として、カメラ制御に必要な所定の制御パラメータを記憶する記憶手段であり、Ｂμｃｏｍ２０からアクセス可能に設けられている。
【００３７】
動作表示用ＬＣＤ３６は、当該カメラの動作状態を表示出力によって撮影者へ告知するためのものである。上記カメラ操作スイッチ３７は、例えば撮影動作の実行を指示するレリーズスイッチ、撮影モードと画像表示モードを切り替えるモード変更スイッチ及びパワースイッチ等、当該カメラを操作するために必要な操作釦を含むスイッチ群で構成される。
【００３８】
更に、電源回路３８は、電源としての電池３９の電圧ＶE を、当該カメラシステムの各回路ユニットが必要とする電圧ＶC に変換して供給するために設けられている。
【００３９】
上記Ｂμｃｏｍ２０には、更にストロボ制御用マイクロコンピュータ４０が接続されている。そして、このストロボ制御用マイクロコンピュータ４０には、閃光発光部４１と、ＤＣ／ＤＣコンバータ４２及び電池４３とから成っている。
【００４０】
また、図２は、本発明の他の実施形態として、デジタル一眼レフカメラの電気系のシステム構成を示す機能ブロック図である。
【００４１】
図２に於いて、このデジタルカメラは、ボディユニット５０と、アクセサリ装置として、例えば交換可能なレンズユニット５１と、通信コネクタ５６を介して撮影した画像データを記録しておく記録メディア５２と、ストロボ通信コネクタ５７を介して外付けのストロボユニット５３とを有して構成されている。
【００４２】
上記レンズユニット５１は、ボディユニット５０の前面に設けられた、図示されないレンズマウントを介して着脱自在に装着可能である。そして、レンズユニット５１は、撮影レンズ６１ａ及び６１ｂと、絞り６２と、レンズ駆動機構６３と、絞り駆動機構６４と、レンズ制御用マイクロコンピュータ（以下、Ｌμｃｏｍと略記する）６５とから構成されている。
【００４３】
上記撮影レンズ６１ａ及び６２ｂは、レンズ駆動機構６３内に存在する図示されないＤＣモータによって、光軸方向に駆動される。絞り６２は、絞り駆動機構６４内に存在する図示されないステッピングモータによって駆動される。また、Ｌμｃｏｍ６５は、上記レンズ駆動機構６３や絞り駆動機構６４等、レンズユニット５１内の各部を駆動制御する。このＬμｃｏｍ６５は、通信コネクタ５５を介して、後述するボディ制御用マイクロコンピュータ８５と電気的に接続がなされ、該ボディ制御用マイクロコンピュータ８５の指令に従って制御される。
【００４４】
一方、ボディユニット５０は、以下のように構成されている。
【００４５】
レンズユニット５１内の撮影レンズ６１ａ及び６１ｂ、絞り６２を介して入射される図示されない被写体からの光束は、ハーフミラー７０で反射されて、フォーカシングスクリーン７１、ペンタプリズム７２を介して接眼レンズ７３に至る。
【００４６】
上記ハーフミラー７０の後方には、光軸上のフォーカルプレーン式のシャッタユニット７６と、光学系を通過した被写体像を光電変換するための撮像素子（ＣＣＤ）７８を収容した撮像ユニット７７とを備えた撮像モジュール７５が設けられている。ハーフミラー７０を透過した光束は、撮像モジュール７５内の撮像素子７８に結像される。このカメラの場合、撮像素子７８のコントラスト映像を用いてＡＦが行われる。
【００４７】
また、上記撮像モジュール７５内の撮像素子７８に接続された撮像素子インターフェイス回路８０と、記憶領域として設けられたＳＤＲＡＭ８２と、液晶モニタ８３及び上記通信コネクタ５６を介して記録メディア５２とは、画像処理を行うための画像処理コントローラ８１に接続されている。これらは、電子撮像機能と共に電子記録表示機能を提供できるように構成されている。
【００４８】
上記記録メディア５２は、各種のメモリカードや外付けのハードディスクドライブ（ＨＤＤ）等の外部記録媒体であり、通信コネクタ５６を介してカメラのボディユニット５０と通信可能、且つ交換可能に装着される。
【００４９】
上記画像処理コントローラ８１は、通信コネクタ５６と、測光回路８６と、シャッタ駆動制御回路９０と、不揮発性メモリ（ＥＥＰＲＯＭ）９１等と共に、このボディユニット５０内の各部を制御するためのＢμｃｏｍ８５に接続されている。
【００５０】
上記Ｂμｃｏｍ８５には、当該カメラの動作状態を表示出力によって撮影者へ告知するための動作表示用ＬＣＤ９２と、カメラ操作スイッチ（ＳＷ）９３と、電源回路９５を介して電池９６とが接続されている。
【００５１】
尚、上記Ｂμｃｏｍ８５とＬμｃｏｍ６５とは、レンズユニット５１の装着時に於いて、通信コネクタ５５を介して通信可能に電気的接続がなされる。そして、デジタルカメラとしてＬμｃｏｍ６５がＢμｃｏｍ８５に従属的に協働しながら稼動するようになっている。
【００５２】
上記シャッタ駆動制御回路９０は、上記シャッタユニット７６の先幕と後幕（図示せず）の動きを制御すると共に、Ｂμｃｏｍ８５との間でシャッタの開閉動作を制御する信号とストロボと同調する信号の授受を行う。
【００５３】
不揮発性メモリ９１は、その他の記憶領域として、カメラ制御に必要な所定の制御パラメータを記憶する記憶手段であり、Ｂμｃｏｍ８５からアクセス可能に設けられている。
【００５４】
動作表示用ＬＣＤ９２は、当該カメラの動作状態を表示出力によって撮影者へ告知するためのものである。上記カメラ操作スイッチ９３は、例えば撮影動作の実行を指示するレリーズスイッチ、撮影モードと画像表示モードを切り替えるモード変更スイッチ及びパワースイッチ等、当該カメラを操作するために必要な操作釦を含むスイッチ群で構成される。
【００５５】
更に、電源回路９５は、電源としての電池９６の電圧ＶE を、当該カメラシステムの各回路ユニットが必要とする電圧ＶC に変換して供給するために設けられている。
【００５６】
ストロボユニット５３は、ストロボ制御用マイクロコンピュータ１０３と、閃光発光部１０１と、発光制御回路１０２及び電池１０４８とから成っている。そして、このストロボユニット５３は、ストロボ通信コネクタ５７を介して、ボディユニット５０と通信可能に装着可能である。また、上記ストロボ制御用マイクロコンピュータ１０３及び発光制御回路１０２へは、シャッタ駆動制御回路９０から、ストロボ通信コネクタ５７を介して、閃光発光信号、フラット発光信号が切り替えられて出力されるようになっている。これらの発光信号は、発光モードに応じて出力される。
【００５７】
本発明は、上述した図１及び図２の何れの構成のカメラにも適用可能であるが、ここでは図１の構成のカメラを例として、以下に外光式多分割ＡＥセンサについて説明する。
【００５８】
図３は多分割ＡＥセンサと被写界との関係を示すもので、（ａ）は４８分割測光センサの例を示した図、（ｂ）は（ａ）の測光センサに対応させた被写界の画像の例を示した図である。
【００５９】
図３（ａ）に示されるように、この多分割ＡＥセンサは、４８分割（６行×８列）の例であり、４８画素のそれぞれに於いて明るさを測定するものである。ここに示される番号が画素番号とすると、この場合、図３（ｂ）に示される被写界には、画素番号１２、１３、１９〜２１、２７〜３０、３４〜３９、４２〜４７に主要被写体が、そして画素番号７、８、１５、１６に背景が存在している。
【００６０】
尚、本実施形態に於いては多分割ＡＥセンサの数を４８として説明するが、この数に限られないのは勿論であり、また行×列の数もこれに限られるものではない。
【００６１】
図４は、上記測光回路２２内の測光センサの構成を示す回路図である。
【００６２】
測光回路２２は、フォトダイオードＰＤ1 ，ＰＤ2 ，…と、対数圧縮アンプ２２ａ1 ，２２ａ2 ，…と、スイッチＳＷ１，ＳＷ２，…と、電圧増幅回路２２ｂとを有して構成されている。ここで、フォトダイオードＰＤの１つが、多分割測光センサの１画素に相当する。したがって、図３の構成では、フォトダイオードが４８個存在している。
【００６３】
尚、対数圧縮アンプが用いられるのは、広い範囲の電流変化を狭い電圧範囲でＡ／Ｄ変換するためである。
【００６４】
電圧増幅回路２２ｂは、入力される電圧を増幅して出力するもので、  
Ｖout ＝Ｖln×α  
としていることで、Ｂμｃｏｍ２０内のＡ／Ｄ変換回路２０ａに適した電圧に増幅する。
【００６５】
いま、測光センサにて光が受光されると、照度に比例した光電流Ｉpdを流すフォトダイオード（この場合ＰＤ4 ）の光電流が、対数圧縮アンプ（この場合２２ａ4 ）にて電圧変換される。尚、図４では受光したフォトダイオードはＰＤ4 として示されているが、実際には受光したフォトダイオードの個数分、対数圧縮アンプで電圧変換されるのは勿論である。
【００６６】
光電流ＩpdとＡ／Ｄ値（出力電圧）との関係は、図５に示されるような感度切り替え特性が成立する。図５に示される横軸のＰＤ電流は対数である。
【００６７】
上記測光回路２２では、Ａ／Ｄ変換するフォトダイオードがスイッチＳＷ１，ＳＷ２，…によって切り替えられながら、各フォトダイオードＰＤ1 ，ＰＤ2 ，…の光出力がモニタされる。
【００６８】
このようにして、被写界の全画面について輝度が測定される。そして、図３（ａ）に示される４８画素についての輝度が演算されて、シャッタ秒時や絞り値が決定される。この決定された値が測光データとなる。
【００６９】
上記４８画素の輝度の演算は、例えば全画素を平均した演算や、画素毎に重み付け（例えば中央の画素に重み付け）をした演算等が考えられる。また、所定値を超えた画素は採用しない等であってもよい。これらの演算を行う演算手段、出力変化を検出する検出手段、露光停止するか否かの判定手段、露光制御手段及び制御手段は、Ｂμｃｏｍ２０が相当する。
【００７０】
次に、図６のフローチャートを参照して、本デジタルカメラのレリーズシーケンスの動作について説明する。
【００７１】
カメラ操作スイッチ３７内のレリーズスイッチ（図示せず）が操作されると、本シーケンスが開始される。先ず、ステップＳ１にて焦点レンズ（ＡＦレンズ）１１ａが駆動される。次いで、ステップＳ２にて、図３（ｂ）に示されるように、被写界の測光が行われる。そして、ステップＳ３にて、上述した測光データからシャッタ秒時、絞り値が設定される。
【００７２】
次に、ステップＳ４に於いて、上記ステップＳ３にて求められたシャッタ秒時について判定が行われる。すなわち、シャッタ秒時が焦点距離の逆数（１／焦点距離）以上の値であるか否かが判定される。その結果、シャッタ秒時が１／焦点距離以上であれば、ステップＳ５に移行してレンズシャッタ１２が開かれる。そして、ステップＳ６にて露出が行われた後、ステップＳ７にてレンズシャッタ１２が閉じられ、本シーケンスが終了する。
【００７３】
図７は、露光開始時の測光タイミングを表したタイミングチャートである。
【００７４】
つまり、上記ステップＳ５のシャッタ開からステップＳ７のシャッタ閉までの間、連続的に複数回の測光が行われる。
【００７５】
一方、上記ステップＳ４に於いて、シャッタ秒時１／焦点距離未満であれば、ステップＳ８へ移行する。そして、ステップＳ８にてレンズシャッタ１２が開かれ、続くステップＳ９にて、サブルーチン「露出とブレ軽減制御」が実行される。この詳細については後述する。そして、ステップＳ１０では、レンズシャッタが閉じられて、本シーケンスが終了する。
【００７６】
図８は、露光中の測光タイミングを表したタイミングチャートである。
【００７７】
露光中に周期的に行われる測光の値に於いて、前回の測光値若しくは露光前の測光値と比較して、所定範囲より大きく変化した場合、シャッタを閉じるようになっている。つまり、前回の測光値に対して今回の測光値が所定レベル以上（例えば、光量が＋１００％以上、或いは−５０％以下）になった場合、シャッタを閉じるようになっている。
【００７８】
図８の例では、測光１〜５までは、ほぼ同じ測光データであるのに対し、測光６ではそれまでと比べて大きく変化している。したがって、測光６の時点でシャッタを閉じてもよい。或いは、再度測光を行って、測光データとして、測光５と測光７を比較してシャッタを閉じるようにしてもよい。
【００７９】
尚、図８に於いて、Ｔａは露出前の測光にて算出されたシャッタ秒時（ｔ1 〜ｔ3 ）であり、Ｔｂは測光値変化が生じた秒時（ｔ1 〜ｔ2 ）を表している。
【００８０】
次に、図９のフローチャートを参照して、図６のフローチャートに於けるステップＳ９のサブルーチン「露出とブレ軽減制御」の詳細な動作について説明する。
【００８１】
本サブルーチンに入ると、先ずステップＳ２１にて、Ｂμｃｏｍ２０に内蔵されている図示されないタイマ機能により、シャッタを閉じる時間が経時される。次いで、ステップＳ２２にて、測光センサの全ての画素、この場合４８画素について測光が行われて、続くステップＳ２３にてその平均値が演算される。そして、ステップＳ２４にて、Ｂμｃｏｍ２０内の図示されないメモリＭ０に、上記ステップＳ２３で演算された平均値が格納される。
【００８２】
ステップＳ２５に於いては、予め記憶されていた前回測光が行われたときのタイマ値から、現在のタイマ値が１ｍｓ以上経過したか否かが判定される。ここで、１ｍｓ以上経過していれば、ステップＳ２６〜Ｓ２８に移行して、上述したステップＳ２２〜Ｓ２４と同様にして、Ｂμｃｏｍ２０内の図示されないメモリＭ１に、ステップＳ２７で演算された平均値が格納される。
【００８３】
このようにすることで、約１ｍｓ間隔の測光を行うことができる。
【００８４】
その後、ステップＳ２９に於いて、輝度変化量が判定される。ここで、Ｍ０、Ｍ１は、それぞれ上述したメモリＭ０、Ｍ１に格納された値である。そして、この輝度変化量（Ｍ０／Ｍ１）が所定の範囲内（この場合５０％〜２００％）であれば、本サブルーチンを抜けて図６のフローチャートのステップＳ１０へ移行する。
【００８５】
一方、輝度変化が無い（この場合５０％以下若しくは２００％以上）であれば、ステップＳ３０へ移行してメモリＭ１の値がメモリＭ０へ格納される。そして、ステップＳ３１に於いて、図６のフローチャートのステップＳ３で演算されたシャッタ秒時が経過したか否かが判定される。ここで、上記シャッタ秒時が経過していなければ上記ステップＳ２５へ移行し、経過していれば、本サブルーチンを抜けて図６のフローチャートのステップＳ１０へ移行する。
【００８６】
図１０及び図１１は、本実施形態の効果を説明する図である。
【００８７】
図１０（ａ）に示されるように、被写体１１０の撮影時にカメラ１１１が三脚１１２に固定されている状態とする。この状態では、図１０（ｂ）に示されるように、画面１１５無いに被写体１１０が撮像される。
【００８８】
しかしながら、図１１（ａ）に示されるように、露光中にアクシデント等によりカメラ１１１が三脚１１２から落下して大きく動くと、図１１（ｂ）に示されるように、被写体１１０が動いたような画像となってしまう。
【００８９】
そこで、測光値が変化した時点、すなわちカメラ１１１が動いた時点で露光動作を停止（シャッタ閉）させる。すると、適正露出に必要な時間よりも短いシャッタ秒時のために光量不足、すなわちアンダー気味の画像になるが、被写体の輪郭をとどめることができる。
【００９０】
ここで、光量不足でも被写体の輪郭をとどめるようにした本機能を実行させるか否かの判定方法について、図１２のグラフを参照して説明する。
【００９１】
露光を停止させる場合は、適正露光時間Ｔｃ（ｔ11〜ｔ12）、露光開始から測光データが変化するまでの時間Ｔｄ1 （ｔ11〜13）、測光データ変化から露光終了までの時間Ｔｅ1 （ｔ13〜ｔ12）の割合から、露光停止判定が行われる。
【００９２】
適正露光時間Ｔｃに対し、例えば時間Ｔｄ1 の割合が５０％であれば、この時間Ｔｄ1 が経過した時点（ｔ13）で露出を停止させれば、１段アンダーな画像が得られる。ここで、例えば２段以上アンダーの画像にならないように制限を設けることも可能である。すなわち、２段アンダーの場合は、時間Ｔｃに対する時間Ｔｄ1 の割合が２５％になる。そして、露光開始（ｔ11）から時間Ｔｃの２５％の時間は、測光データがいかに変化しても露光停止しない。
【００９３】
このような制限が設けられることによって、露光停止によって画像が成り立たなくなるということがなくなる。
【００９４】
図１３は、こうした露光判定を行うようにした、図６のフローチャートに於けるステップＳ９のサブルーチン「露出とブレ軽減制御」の第２の動作例を説明するフローチャートである。
【００９５】
本サブルーチンに於いて、ステップＳ４１〜Ｓ４９及びステップＳ５１〜Ｓ５２の各ステップは、上述した図９のフローチャートに於けるステップＳ２１〜Ｓ２９及びステップＳ３０〜Ｓ３１と同じであるので、これらを参照するものとしてここでは説明を省略する。
【００９６】
ステップＳ４９に於いて、輝度変化量（Ｍ０／Ｍ１）が所定の範囲内（この場合５０％〜２００％）であればステップＳ５０へ移行し、そうでなければステップＳ５１へ移行する。
【００９７】
ステップＳ５０では、現在のシャッタ開からの経過時間が、図６のフローチャートに於けるステップＳ３で演算されたシャッタ秒時の２５％と比較される。その結果、上記経過時間の方が長い場合は、本サブルーチンを抜けて図６のフローチャートのステップＳ１０へ移行する。
【００９８】
一方、ステップＳ５０に於いて、シャッタ開からの経過時間の方が短い場合は、シャッタは閉じられずにステップＳ５１へ移行する。
【００９９】
尚、図１２のグラフを、図１４に示されるように、露光開始から測光データ変化までの時間Ｔｄ1 を、露光開始時（ｔ11）からではなく、露光安定時間Ｔｆが経過してから（ｔ14）の時間Ｔｄ2 と置き換えることも可能である。
【０１００】
図１５は、図６のフローチャートに於けるステップＳ９のサブルーチン「露出とブレ軽減制御」の第３の動作例を説明するフローチャートである。
【０１０１】
本サブルーチンに於いて、ステップＳ６２〜Ｓ７０及びステップＳ７６〜Ｓ７７の各ステップは、上述した図９のフローチャートに於けるステップＳ２１〜Ｓ２９及びステップＳ３０〜Ｓ３１と同じであるので、これらを参照するものとしてここでは説明を省略する。
【０１０２】
本サブルーチンに入ると、先ず、ステップＳ６１にて、シャッタ開から測光値が安定したか否かを記憶するためのＢμｃｏｍ２０内の図示されないメモリＭ２が初期化される。その後、ステップＳ６２〜Ｓ６９の各処理が行われ、ステップＳ７０に於いて、輝度変化量（Ｍ０／Ｍ１）が所定の範囲内（この場合５０％〜２００％）であるか否かが判定される。ここで、所定の範囲内であればステップＳ７４へ移行し、そうでなければステップＳ７１へ移行する。
【０１０３】
ステップＳ７１では、上記メモリＭ２の状態が判定される。ここで、メモリのＭ２に“１”が格納されている場合はステップＳ７６平行し、格納されていない場合はステップＳ７２へ移行する。
【０１０４】
ステップＳ７２では、測光値が安定したことが上記メモリＭ２に記憶される（Ｍ＝２）。続いて、ステップＳ７３にて、シャッタ開からの経過時間Ｔｆが、Ｂμｃｏｍ２０内の図示されないメモリＭ３に記憶される（Ｍ３＝Ｔｆ）。その後、ステップＳ７６へ移行する。
【０１０５】
一方、上記ステップＳ７１では、測光値の状態が判定される。測光値が一度でも安定した場合は上記メモリＭ２が“１”になる。したがって、ここで測光値が安定していない場合はステップＳ７６へ移行し、安定していればステップＳ７５へ移行する。
【０１０６】
ステップＳ７５に於いては、シャッタ開からの経過時間が、図６のフローチャートに於けるステップＳ３で演算されたシャッタ秒時の２５％にシャッタ開からの安定時間Ｔｆを加えた時間（演算シャッタ秒時×２５％＋Ｔｆ）と比較される。その結果、上記経過時間の方が長い場合は、本サブルーチンを抜けて図６のフローチャートのステップＳ１０へ移行する。
【０１０７】
一方、ステップＳ７５に於いて、シャッタ開からの経過時間の方が短い場合は、シャッタは閉じられずにステップＳ７６へ移行する。
【０１０８】
このようにすることにより、測光データが安定している、すなわち露光中に全体の露光時間中に於ける画像のブレの無い時間の露光を増加させることができる。
【０１０９】
このほかに、適正露光時間Ｔｃが所定時間より短い場合に、測光データ変化による露光停止を行わない処理も考えられる。
【０１１０】
また、シャッタ秒時が短ければ露光停止する効果が低くなり、シャッタ秒時が長い場合に本発明は有効である。したがって、シャッタ秒時が短い場合には、上述したブレ軽減制御を行わないように制限してもよい。
【０１１１】
ところで、図１６（ａ）に示されるように、図示矢印Ａ方向に移動する被写体１１０を、カメラ１１１で図示矢印Ｂ方向に回転するように追従して撮影（いわゆる流し撮り撮影）すると、背景１１３ａ〜１１３ｃは流れているが被写体（人物）１１０の輪郭ははっきりしているという画像を撮ることができる。
【０１１２】
分割のない測光センサの場合は、測光データが変化するので露光停止する必要がある。しかしながら、本発明で使用している多分割センサを用いると、測光データの一部は輝度変化が生じるが、被写体（人物）を測光している画素の輝度変化は小さいものとなる。
【０１１３】
図１６（ｂ）に示されるように、多分割センサが４８画素で構成された例を考えると、通常の静止した撮影の場合は図１１（ｃ）に示されるようになる。そして、上述したように流し撮り撮影が行われた場合は、図１１（ｄ）に示されるようになる。この流し撮り撮影の場合でも、４８画素のうち、番号１２、１３、２０、２１、２７〜３０、３５〜３８、４３〜４６の１６個の画素については輝度変化が無い。
【０１１４】
そこで、例えば、全画素の３０％が測光データ変化無しであれば停止させないようにする。また、変化しない画素が全画素の３０より下回れば露光停止させる、という構成であってもよい。
【０１１５】
図１７は、図６のフローチャートに於けるステップＳ９のサブルーチン「露出とブレ軽減制御」の第４の動作例を説明するフローチャートである。
【０１１６】
本サブルーチンにはいると、先ずステップＳ８１にて、Ｂμｃｏｍ２０に内蔵されている図示されないタイマ機能により、シャッタを閉じる時間が経時される。次いで、ステップＳ８２にて、測光センサの全ての画素、この場合４８画素について測光が行われる。そして、続くステップＳ８３にて、各画素の測光値が、Ｂμｃｏｍ２０内の図示されないメモリＭ１〜４８に格納される。
【０１１７】
次に、ステップＳ８４に於いて、予め記憶されていた前回測光が行われたときのタイマ値から、現在のタイマ値が１ｍｓ以上経過したか否かが判定される。ここで、１ｍｓ以上経過していれば、ステップＳ８５及びＳ８６に移行して、上述したステップＳ８２及びＳ８３と同様にして、Ｂμｃｏｍ２０内の図示されないメモリＭＮ１〜４８に、各画素の測光値が格納される。
【０１１８】
そして、ステップＳ８７にて、全画素についてではなく、各画素毎に前回の測光値と比較される。この場合、前回の測光値に比べて、今回の測光値が５０％未満、２００％以上になった画素が検索される。その結果、輝度変化した画素の個数が全体の３０％以上であるか否かが、ステップＳ８８にて判定される。
【０１１９】
ここで、輝度変化した画素の個数が３０％以上であれば、本サブルーチンを抜けて図６のフローチャートのステップＳ１０へ移行する。一方、輝度変化した画素の個数が３０％未満であれば、ステップＳ８９へ移行する。
【０１２０】
ステップＳ８９では、上記メモリＭＭ１〜４８の値がメモリＭ１〜４８へ格納される。そして、ステップＳ９０に於いて、図６のフローチャートのステップＳ３で演算されたシャッタ秒時が経過したか否かが判定される。ここで、上記シャッタ秒時が経過していなければ上記ステップＳ８４へ移行し、経過していれば、本サブルーチンを抜けて図６のフローチャートのステップＳ１０へ移行する。
【０１２１】
このように構成することで、流し撮り撮影にも対応することのできるカメラを提供することが可能である。
【０１２２】
尚、測光データは、複数回の測光から演算した結果を１回とすることもある。
【０１２３】
図１８は、こうした複数回の測光を１回の測光データとしてカウントする例を示した図である。
【０１２４】
通常、複数回の測光が行われる場合は、図１８（ａ）に示されるように、測光１、測光２、測光３、…のように考えられている。
【０１２５】
ここで、例えば１ｍｓ間隔で測光を１回行うとすると、測光データ１回分（測光１）は、ＥｘA 〜ＥｘF の複数回の測光で構成されている。この複数回の測光ＥｘA 〜ＥｘF の平均をとることで、１回（測光１）の測光データとすることができる。
【０１２６】
これは、測光データ取得時に発生するノイズ成分の影響を、複数回の測光によって小さくすることを考慮しているからである。これにより、１回の測光データは、複数回の測光値の演算結果により構成されてもよい。
【０１２７】
尚、上述した実施形態に於ける多分割測光センサは、図１カメラの測光回路２２について適用されるものとして説明したが、図２の一眼レフカメラの測光回路８６に適用されるものであってもよい。
【０１２８】
以上、本発明の実施形態について説明したが、本発明は上述した実施形態以外にも、本発明の要旨を逸脱しない範囲で種々の変形実施が可能である。
【図面の簡単な説明】
【０１２９】
【図１】本発明に係る一実施形態のデジタルカメラの構成を示す機能ブロック図である。
【図２】本発明の他の実施形態として、デジタル一眼レフカメラの電気系のシステム構成を示す機能ブロック図である。
【図３】多分割ＡＥセンサと被写界との関係を示すもので、（ａ）は４８分割測光センサの例を示した図、（ｂ）は（ａ）の測光センサに対応させた被写界の画像の例を示した図である。
【図４】測光回路２２内の測光センサの構成を示す回路図である。
【図５】光電流ＩpdとＡ／Ｄ値（出力電圧）との関係を示した感度切り替えの特性図である。
【図６】本デジタルカメラのレリーズシーケンスの動作について説明するフローチャートである。
【図７】露光開始時の測光タイミングを表したタイミングチャートである。
【図８】露光中の測光タイミングを表したタイミングチャートである。
【図９】図６のフローチャートに於けるステップＳ９のサブルーチン「露出とブレ軽減制御」の詳細な動作について説明するフローチャートである。
【図１０】本発明の一実施形態の効果を説明する図である。
【図１１】本発明の一実施形態の効果を説明する図である。
【図１２】光量不足でも被写体の輪郭をとどめるようにした機能を実行させるか否かの判定方法について説明するもので、測光データと露光時間との関係を表すグラフである。
【図１３】図６のフローチャートに於けるステップＳ９のサブルーチン「露出とブレ軽減制御」の第２の動作例を説明するフローチャートである。
【図１４】第２の動作例に於ける測光データと露光時間との関係を表すグラフである。
【図１５】図６のフローチャートに於けるステップＳ９のサブルーチン「露出とブレ軽減制御」の第３の動作例を説明するフローチャートである。
【図１６】流し撮り撮影を行う場合の多分割測光センサの画素の測光データについて説明する図である。
【図１７】図６のフローチャートに於けるステップＳ９のサブルーチン「露出とブレ軽減制御」の第４の動作例を説明するフローチャートである。
【図１８】複数回の測光を１回の測光データとしてカウントする例を示した図である。
【符号の説明】
【０１３０】
１０、５０…ボディユニット、１１ａ…焦点レンズ、１１ｂ…ズームレンズ、１２…シャッタ、１３…撮像素子（ＣＣＤ）、１５…焦点レンズ駆動機構、１６…シャッタ駆動制御回路、１７…ズームレンズ駆動機構、２０…ボディ制御用マイクロコンピュータ（Ｂμｃｏｍ）、２０ａ…Ａ／Ｄ変換回路、２１…測距回路、２２…測光回路、２２ａ1 ，２２ａ2 ，……対数圧縮アンプ、２２ｂ…電圧増幅回路、２５…撮像素子インターフェイス回路、２６…画像処理コントローラ、２７…ＳＤＲＡＭ、２８…液晶モニタ、３１…通信コネクタ、３２…記録メディア、３５…不揮発性メモリ（ＥＥＰＲＯＭ）、３６…動作表示用ＬＣＤ、３７…カメラ操作スイッチ（ＳＷ）、３８…電源回路、３９、４３…電池、４０…ストロボ制御用マイクロコンピュータ、４１…閃光発光部、４２…ＤＣ／ＤＣコンバータ。
【図１】
2006106199.tif 000003
【図２】
2006106199.tif 000004
【図３】
2006106199.tif 000005
【図４】
2006106199.tif 000006
【図５】
2006106199.tif 000007
【図６】
2006106199.tif 000008
【図７】
2006106199.tif 000009
【図８】
2006106199.tif 000010
【図９】
2006106199.tif 000011
【図１０】
2006106199.tif 000012
【図１１】
2006106199.tif 000013
【図１２】
2006106199.tif 000014
【図１３】
2006106199.tif 000015
【図１４】
2006106199.tif 000016
【図１５】
2006106199.tif 000017
【図１６】
2006106199.tif 000018
【図１７】
2006106199.tif 000019
【図１８】
2006106199.tif 000020